(57)【要約】【課題】プラズマディスプレイ装置などの平面型表示装置において、より一層のコスト低減を実現することを目的とする。【解決手段】表示パネルを前面側に配置したシャーシ部材の背面側に前記パネルに信号を印加して表示を行う回路ブロックを配置して構成したパネルユニットと、このパネルユニットの前面側を保護する前面カバーとともに筐体を構成しかつ前記パネルユニットの背面側を覆うように前記シャーシ部材に取付けられるバックカバー１３とを有し、前記バックカバー１３は、前記パネルユニットの中央部を覆う中央カバー１６と、この中央カバー１６の左右の両側に取付けられる左右のサイドカバー１７とで構成した。【選択図】  図５
2004317919.tif 000002
【特許請求の範囲】
【請求項１】
表示パネルを前面側に配置したシャーシ部材の背面側に前記パネルに信号を印加して表示を行う駆動回路ブロックを配置して構成したパネルユニットと、このパネルユニットの前面側を保護する前面カバーとともに筐体を構成しかつ前記パネルユニットの背面側を覆うように前記シャーシ部材に取り付けられるバックカバーとを有し、前記バックカバーは、前記パネルユニットの中央部を覆う中央カバーと、この中央カバーの左右の両側に取り付けられる左右のサイドカバーとで構成したことを特徴とする平面型表示装置。
【請求項２】
中央カバーまたはサイドカバーのいずれか一方の結合部に内側に折曲してなる段差部を設け、その段差部に他方の結合部を重ね合わせて結合した請求項１に記載の平面型表示装置。
【請求項３】
中央カバーまたはサイドカバーのいずれか一方の結合部に孔を設けるとともに、他方の結合部に前記孔に挿入されかつその孔の周縁部にカシメられる筒部を設けた請求項１に記載の平面型表示装置。
【発明の詳細な説明】
【０００１】
【発明の属する技術分野】
本発明は、大画面で、薄型、軽量のディスプレイ装置として知られているプラズマディスプレイ装置などの平面型表示装置に関するものである。
【０００２】
【従来の技術】
近年、プラズマディスプレイ装置は、視認性に優れた表示パネル（薄型表示デバイス）として注目されており、高精細化および大画面化が進められている。
【０００３】
このプラズマディスプレイ装置には、大別して、駆動的にはＡＣ型とＤＣ型があり、放電形式では面放電型と対向放電型の２種類があるが、高精細化、大画面化および製造の簡便性から、現状では、ＡＣ型で面放電型のプラズマディスプレイ装置が主流を占めるようになってきている。
【０００４】
このようなプラズマディスプレイ装置においては、透明な一対のガラス基板を間に放電空間が形成されるように対向配置するとともにガラス基板に電極群を配置したプラズマディスプレイパネル（以下パネルという）と、このパネルを保持するシャーシ部材と、このシャーシ部材に取り付けられ前記パネルに信号を印加して表示を行う表示駆動回路ブロックとでパネルモジュールを構成し、このパネルモジュールを筐体で覆うことにより完成品としている（特許文献１参照）。
【０００５】
このようなプラズマディスプレイ装置は、液晶表示装置やＣＲＴなどの他の表示装置に比べて大画面を実現しやすく、また他の大型の表示装置に比べて鮮明な映像が得られるという特徴を有しており、このため多くの人が集まる場所での情報表示装置として、また家庭で迫力のある映像を楽しむことができる映像機器として脚光を集めている。
【０００６】
【特許文献１】
特許第２８０７６７２号公報
【０００７】
【発明が解決しようとする課題】
従来、この種のプラズマディスプレイ装置などの平面型表示装置において、筐体の一部を構成するバックカバーは、金属板をプレス加工することにより、一体物の形状で構成している。
【０００８】
しかしながら、プラズマディスプレイ装置などの平面型表示装置は大型であり、金属製バックカバーを一体物でプレス加工により加工しようとすると、かなり大型のプレス機械が必要で、しかも機械も大型なら、扱う材料も大型となり、取扱が非常に大変で、生産性が悪く、価格が高くなってしまっていた。
【０００９】
本発明はこのような課題に鑑みなされたもので、プラズマディスプレイ装置などの平面型表示装置において、コスト低減を実現することを目的とする。
【００１０】
【課題を解決するための手段】
上記目的を達成するために本発明は、平面型表示装置において、筐体を構成するバックカバーを、パネルユニットの中央部を覆う中央カバーと、この中央カバーの左右の両側に取り付けられる左右のサイドカバーとで構成したものである。
【００１１】
【発明の実施の形態】
すなわち、本発明の請求項１に記載の発明は、表示パネルを前面側に配置したシャーシ部材の背面側に前記パネルに信号を印加して表示を行う駆動回路ブロックを配置して構成したパネルユニットと、このパネルユニットの前面側を保護する前面カバーとともに筐体を構成しかつ前記パネルユニットの背面側を覆うように前記シャーシ部材に取り付けられるバックカバーとを有し、前記バックカバーは、前記パネルユニットの中央部を覆う中央カバーと、この中央カバーの左右の両側に取り付けられる左右のサイドカバーとで構成したものである。
【００１２】
また、請求項２記載の発明は、請求項１において、中央カバーまたはサイドカバーのいずれか一方の結合部に内側に折曲してなる段差部を設け、その段差部に他方の結合部を重ね合わせて結合したものである。
【００１３】
また、請求項３記載の発明は、請求項１において、中央カバーまたはサイドカバーのいずれか一方の結合部に孔を設けるとともに、他方の結合部に前記孔に挿入されかつその孔の周縁部にカシメられる筒部を設けたものである。
【００１４】
以下、本発明の一実施の形態による平面型表示装置について、プラズマディスプレイ装置を例にとって、図１〜図７を用いて説明するが、本発明の実施の態様はこれに限定されるものではない。
【００１５】
まず、プラズマディスプレイ装置における表示パネルの構造について図１を用いて説明する。図１に示すように、ガラス基板などの透明な前面側の基板１上には、スキャン電極とサステイン電極とで対をなすストライプ状の表示電極２が複数列形成され、そしてその電極群を覆うように誘電体層３が形成され、その誘電体層３上には保護膜４が形成されている。
【００１６】
また、前記前面側の基板１に対向配置される背面側の基板５上には、スキャン電極及びサステイン電極の表示電極２と交差するように、オーバーコート層６で覆われた複数列のストライプ状のアドレス電極７が形成されている。このアドレス電極７間のオーバーコート層６上には、アドレス電極７と平行に複数の隔壁８が配置され、この隔壁８間の側面およびオーバーコート層６の表面に蛍光体層９が設けられている。
【００１７】
これらの基板１と基板５とは、スキャン電極およびサステイン電極の表示電極２とアドレス電極７とがほぼ直交するように、微小な放電空間を挟んで対向配置されるとともに、周囲が封止され、そして前記放電空間には、ヘリウム、ネオン、アルゴン、キセノンのうちの一種または混合ガスが放電ガスとして封入されている。また、放電空間は、隔壁８によって複数の区画に仕切ることにより、表示電極２とアドレス電極７との交点が位置する複数の放電セルが設けられ、その各放電セルには、赤色、緑色及び青色となるように蛍光体層９が一色ずつ順次配置されている。
【００１８】
図２にこのパネルの電極配列を示しており、図２に示すようにスキャン電極およびサステイン電極とアドレス電極とは、Ｍ行×Ｎ列のマトリックス構成であり、行方向にはＭ行のスキャン電極ＳＣＮ１〜ＳＣＮＭおよびサステイン電極ＳＵＳ１〜ＳＵＳＭが配列され、列方向にはＮ列のアドレス電極Ｄ１〜ＤＮが配列されている。
【００１９】
このような電極構成のパネルにおいては、アドレス電極とスキャン電極の間に書き込みパルスを印加することにより、アドレス電極とスキャン電極の間でアドレス放電を行い、放電セルを選択した後、スキャン電極とサステイン電極との間に、交互に反転する周期的な維持パルスを印加することにより、スキャン電極とサステイン電極との間で維持放電を行い、所定の表示を行うものである。
【００２０】
図３は上記で説明した構造の表示パネルを組み込んだプラズマディスプレイ装置の全体構成の一例を示す分解斜視図である。図において、表示パネル１０は、アルミニウム等からなるシャーシ部材１１の前面に熱伝導シート１１ａを介して接着することにより保持され、そしてシャーシ部材１１の後面側には、表示パネル１０を表示駆動させるための複数の回路ブロック１２が取り付けられ、これによりパネルユニットが構成されている。前記熱伝導シート１１ａは、表示パネル１０で発生した熱をシャーシ部材１１に効率よく伝え、放熱を行うためのものである。また、回路ブロック１２は表示パネル１０の表示駆動とその制御を行うための電気回路を備えており、表示パネル１０の縁部に引き出された電極引出部に、シャーシ部材１１の四辺の外縁部を跨ぐように越えて延びる複数のフレキシブル配線板によって電気的に接続されている。
【００２１】
前記パネルユニットを収容する筐体は、パネルユニットの回路ブロック１２が配置された背面側を覆うように配設したバックカバー１３と、前記パネルユニットの表示パネル１０の前面側に配置されかつ前記表示パネル１０の表示領域に対応した窓１４ａを有するとともに表示領域以外の周辺部を覆う金属製の前面枠１４とから構成され、前面枠１４の窓１４ａには光学フィルターおよび表示パネル１０の保護を兼ねた前面ガラス１５が配置されている。この前面ガラス１５には電磁波の不要輻射を抑制するために、透明導電膜が施されている。さらに、バックカバー１３には、表示パネル１０等で発生した熱を外部に放出するための複数の通気孔１３ａが設けられている。
【００２２】
図４、図５に上記バックカバー１３を示している。図４、図５に示すように、バックカバー１３は、前記パネルユニットの中央部を覆う鉄などの金属製の中央カバー１６と、この中央カバー１６の左右の両側に取り付けられる鉄などの金属製の左右のサイドカバー１７とで構成され、中央カバー１６の両側にサイドカバー１７を結合することによりバックカバー１３が構成されている。そして、それぞれの中央カバー１６およびサイドカバー１７は、金属板をプレス加工することにより成形され、周縁部にはシャーシ部材１１にビスで取り付けるためのフランジ１３ｂが形成されている。
【００２３】
図６、図７に上記バックカバーの結合部を示す。図６、図７に示すように、中央カバー１６の両端部の結合部１６ａには、内側に折曲してなる段差部１６ｂが設けられており、その段差部１６ｂにサイドカバー１７の結合部１７ａを重ね合わせて中央カバー１６とサイドカバー１７が結合されている。この段差部１６ｂを設けることにより、中央カバー１６とサイドカバー１７の外面はほぼ面一とすることができる。また、中央カバー１６とサイドカバー１７の結合は、段差部１６ｂに孔１６ｃを設けるとともに、サイドカバー１７の結合部１７ａに設けた筒部１７ｂを前記孔１６ｃに挿入して孔１６ｃの周縁部にカシメにより行われている。
【００２４】
なお、上記実施の形態においては、中央カバー１６に段差部を設けたが、サイドカバー１７に段差部を設けてもよく、またサイドカバー１７に孔を設け、中央カバー１６に筒部を設けてカシメを行うようにしてもよい。さらに、カシメ以外に、スポット溶接などにより中央カバー１６とサイドカバー１７を結合してもよい。
【００２５】
以上説明したように本実施の形態の構成によれば、バックカバー１３を中央カバー１６とサイドカバー１７とで構成しているため、それぞれをプレス加工により成形し、結合すればよいため、５０インチサイズのプラズマディスプレイ装置のバックカバー１３についても大型のプレス機械を使用することなく、小型の機械でもプレス成形が可能となり、バックカバーを生産するメーカーにとっても新たな設備の導入を行うことなく、安価にバックカバーを得ることができる。
【００２６】
【発明の効果】
以上のように本発明によれば、プラズマディスプレイ装置などの平面型表示装置のより一層の低コスト化を実現することができ、大型の表示装置を安価に提供することができるという効果も得られる。
【図面の簡単な説明】
【図１】プラズマディスプレイパネルの構成を示す概略斜視図
【図２】同パネルの電極配線図
【図３】本発明の一実施の形態によるプラズマディスプレイ装置の全体を示す分解斜視図
【図４】同装置のバックカバーを示す斜視図
【図５】同バックカバーの分解図
【図６】同バックカバーの結合部を示す拡大断面図
【図７】同バックカバーの結合部における構造を示す拡大断面図
【符号の説明】
１０  表示パネル
１１  シャーシ部材
１２  回路ブロック
１３  バックカバー
１６  中央カバー
１６ａ、１７ａ  結合部
１６ｂ  段差部
１６ｃ  孔
１７  サイドカバー
１７ｂ  筒部
【図１】
2004317919.tif 000003
【図２】
2004317919.tif 000004
【図３】
2004317919.tif 000005
【図４】
2004317919.tif 000006
【図５】
2004317919.tif 000007
【図６】
2004317919.tif 000008
【図７】
2004317919.tif 000009